(57)【要約】  精製するプラスチック材料が内部に収容されている少なくとも反応器（４）と、真空ポンプに接続されている開口と、反応器（４）の内部の材料の撹拌を確実にする攪拌機（１６）と、極性分子の励起を促進するマイクロ波加熱装置を有している加熱手段と、を有するプリエチレンテレフタレート精製装置。【選択図】図１
2020525307.tif 000002
【特許請求の範囲】
【請求項１】
食品と接触する用途のプラスチック材料の汚染物質からの精製、好ましくはポリエチレンテレフタレートの精製用装置であって、精製するプラスチック材料を受け入れる少なくとも１個の反応器（４）を有し、前記少なくとも１個の反応器は、
内部に充填されるプラスチック材料用の開口と、内部から取り出される前記プラスチック材料用の開口とを有しており、密閉される筐体と、
通気開放部と、
前記プラスチック材料の充填及び取り出し用の前記開口に関連付けられており、開口を開閉するそれぞれの弁手段と、
さらなる弁手段を介して前記通気開放部と流体連結されている真空ポンプ（５）と、
処理中に反応器（４）内で材料が撹拌されることを確実にするために前記筐体内に位置している撹拌手段（１６）と、
前記反応器（４）に関連付けられている加熱手段と、
を有し、
前記加熱手段は、エネルギーを前記反応器（４）内に収容されているプラスチック材料に供給する放射加熱手段（２）を有していることを特徴とする、
装置。
【請求項２】
前記放射加熱手段は、極性分子の励起を促進する少なくとも１個のマイクロ波放射加熱装置を有し、より好ましくは少なくとも１個のマイクロ波放射加熱装置からなる、請求項１に記載の装置。
【請求項３】
前記加熱手段は、前記少なくとも１個の反応器の壁に関連付けられている加熱手段を有し、加熱されている液体が内部を流れる電気抵抗及び／または凹部を有していることが好ましい、請求項１または２に記載の装置。
【請求項４】
前記反応器（４）は、反応器（４）の内部と外部環境との間の熱交換を減少させる断熱層を有している、請求項１から３のいずれか１項に記載の装置。
【請求項５】
前記少なくとも１個の反応器（４）には、精製するプラスチック材料が、前記反応器（４）の上流に位置しているヒータ（３）から供給される、請求項１から４のいずれか１項に記載の装置。
【請求項６】
前記ヒータ（３）は、
供給手段、好ましくは水平方向の回転の軸線を有しており、プラスチック材料を入口と出口との間で供給するブレードを備えている軸を有している筐体と、
前記ヒータ（３）の前記筐体内へ、前記ヒータ内のプラスチック材料の供給の方向に対する逆流である加熱されている空気（Ａ）の流れを吹き込む換気手段と、
前記ヒータ（３）内に収容されているプラスチック材料にエネルギーを供給する放射加熱手段（２１）と、
を有し、
前記ヒータ（３）の前記放射加熱手段（２１）は、極性分子の励起を促進する少なくとも１個のマイクロ波放射加熱装置を有することが好ましく、少なくとも１個のマイクロ波放射加熱装置からならなることがより好ましい、請求項５に記載の装置。
【請求項７】
前記反応器（４）から出る前記精製されているプラスチック材料の少なくとも１個のバッファ（６）を有する、請求項１から６のいずれか１項に記載の装置。
【請求項８】
プラスチック材料の押し出し機（３０）を有し、
前記押し出し機（３０）は、請求項１から７のいずれか１項に記載の汚染物質からのプラスチック材料の精製用の装置の下流に配置されていることを特徴とする、
プラスチック押し出し設備、好ましくはポリエチレンテレフタレートの押し出し用のプラスチック押し出し設備。
【請求項９】
前記押し出し機は、２軸押し出し機（３１、３２）を収容しているシャーシ（２９）を有し、前記押し出し機は、押し出されるプラスチック材料用の入口（３３）を有し、通気ポート（３４、３５、３７、３８）を備えている複数の通気ゾーン（Ａ、Ｃ、Ｄ）と、密封ゾーン（Ｂ）と、前記スクリュー（３１、３２）によって作動する搬送及び計測ゾーン（Ｅ）とを有し、
前記押し出し機の前記２個のスクリュー（３１、３２）は、共に回転する、つまり同じ回転の方向を有し、
第１の通気ゾーン（Ａ）は、大気への通気のために設けられており、大気への通気ための前記第１の通気ゾーン（Ａ）は、抽出フード（３５）を備えていることが好ましく、
第２の通気領域ゾーン（Ｃ及びＤ）は、真空ポンプ（１１）を備えている第１の通気部（３７）と、真空ポンプ（１１）を備えている第２の通気部（３８）と、を直列に有して設けられており、
密封ゾーン（Ｂ）は、前記第１の通気ゾーン（Ａ）と第２の通気ゾーン（Ｃ及びＤ）との間に設けられており、処理中の材料の劣化を防止するために低い圧力の下で半溶融材料が充填されている前記スクリュー（３１、３２）上に位置している一連のカム（３６）で構成されていることが好ましい、
請求項８に記載の押し出し設備。
【請求項１０】
プラスチック材料、好ましくはポリエチレンテレフタレートを精製するプロセスであって、
精製するプラスチックを加熱するステップと、
材料を５ミリバール以下の圧力、より好ましくは５ミリバール未満の圧力の真空に曝すステップと、
精製するプラスチック材料を加熱されている反応器内で混合するステップと、
を有し、
精製するプラスチック材料は、処理する材料にエネルギーを供給する放射加熱手段（２）によって前記反応器内で加熱されることを特徴とする、
プロセス。
【請求項１１】
精製するプラスチック材料は、前記反応器（４）内で少なくとも１個のマイクロ波加熱装置（２）によって加熱される、請求項１０に記載のプラスチック材料を精製するプロセス。
【請求項１２】
精製するプラスチック材料を加熱する前記ステップは、ヒータ（３）内で、
加熱されるプラスチック材料の供給の流れに対する高温の空気の逆流の対流及び、
前記ヒータ（３）内に収容されているプラスチック材料にエネルギーを供給する放射加熱手段（２１）、好ましくは少なくとも１個のマイクロ波加熱装置（２１）と、
によって実施される、
請求項１０または１１に記載のプラスチック材料を精製するプロセス。
【請求項１３】
請求項１から７のいずれか１項に記載の汚染物質からのプラスチック材料の精製用の装置によって実施されることを特徴とする、請求項１０から１２のいずれか１項に記載のプラスチック材料を精製するプロセス。
【請求項１４】
プラスチック材料、好ましくはポリエチレンテレフタレートを押し出すプロセスであって、
押し出し機の中でプラスチック材料を押し出すステップ、
を有し、
前記押し出すステップには、請求項１０から１３のいずれか１項に記載のプラスチック材料を精製するプロセスが先行していることを特徴とする、
プロセス。
【請求項１５】
前記押し出すステップは、請求項９に記載の押し出し機を使用して実行される、プラスチック材料を押し出すプロセス。
【発明の詳細な説明】
【技術分野】
【０００１】
本発明は、請求項１の前提部分による食品と接触する用途のプラスチック材料、特にポリエチレンテレフタレートの精製用の装置に関する。
【０００２】
さらなる実施形態によれば、本発明は、プラスチック材料、特にポリエチレンテレフタレートの押し出しシステムにも関する。
【０００３】
またさらなる実施形態によれば、本発明は、食品と接触する用途のプラスチック材料、特にポリエチレンテレフタレートの精製用のプロセスだけでなく、そのような精製されているプラスチック材料の押し出しプロセスに関する。
【背景技術】
【０００４】
説明の便宜上、本説明は、プラスチック材料の考え得る例として、（ＰＥＴという略語によっても特徴付けられている）ポリエチレンテレフタレートを特に参照して非限定的に行う。
【０００５】
今日、ポリエチレンテレフタレートの使用は、たとえば、容器、瓶、トレー等の製造用に非常に行き渡っており、使用後に再生できる可能性も考慮すると、再生されたポリエチレンテレフタレートを原材料としてプラスチック材料の以降のライフサイクルで全体的に、または部分的に使用することができる。
【０００６】
そのため、今日では、押し出しプロセスの原材料として、瓶、ジャー、トレイ等の再生される製品を断片化し、切断することによって得られたフレークの形態の再生されたプラスチック材料を全体的に、または部分的に使用する必要性が強く感じられている。
【０００７】
しかし、押し出しラインに供給される原材料としての再生されているポリエチレンテレフタレートの使用にはいくつかの問題があって、まず、元の原材料の過度の湿度及びプラスチック材料の以前のライフサイクルからの、または再生プロセス自体からの再生されている原材料内の好ましくない汚染物質の存在による問題がある。
【０００８】
この点について、プラスチック材料の押し出し過程での過度の湿度の存在によって、使用される原材料の事前の脱湿なしに、押し出し過程によって製品を得ることが困難になる。
【０００９】
この脱湿は、脱湿する原材料を、換気サイロ内に数時間、１６０℃の温度に維持することによって得ることができる。
【００１０】
その代わりに、ＳＭＣ  Ｔｅｃｈｎｏｌｏｇｙ  Ｓｒｌ名義の、Ｐａｇｏｔｔｏ  Ａｍｅｄｅｏ氏による特許文献１によると、脱湿されている材料を湿気のある空気の流れに対して反対にゆっくりと前進させ、また、前述のヒータの内部で処理される材料に作用するマイクロ波発生器を備えている装置の使用が提案されている。
【００１１】
さらに、特許文献２によれば、溶融状態の材料の特別に構成されている脱気領域のおかげで、再生プラスチック材料の予防的な脱湿過程を回避することができる。
【先行技術文献】
【特許文献】
【００１２】
【特許文献１】欧州特許第１７０３２３９号明細書
【特許文献２】欧州特許第１２２６９２２号明細書
【発明の概要】
【発明が解決しようとする課題】
【００１３】
しかし、文献によれば、揮発性及び不揮発性の物質、極性及び非極性の物質が存在している汚染物質から再生されたプラスチック材料を精製できるようにする問題が残っている。この精製は、押し出しプロセスから得られる製品を食品との接触に適したものにするために必要である。
【００１４】
本発明の基礎となる問題は、前述の要件に適合するような構造的及び／または機能的な特徴を有しており、したがって、同時に従来技術の前述の欠点を未然に防ぐ、再生から得られた再生プラスチック材料、特にポリエチレンテレフタレートの精製のための装置及びプロセスを考案することである。
【課題を解決するための手段】
【００１５】
この問題は、請求項１の前提部分によるプラスチック材料の精製用の装置だけでなく、請求項８によるプラスチック材料、特にポリエチレンテレフタレート用の押し出しシステムによっても解決される。
【００１６】
さらなる実施形態によれば、この問題は、食品と接触する用途のプラスチック材料、特にポリエチレンテレフタレートの精製用のプロセスだけでなく、そのような精製されているプラスチック材料の押し出しプロセスによって解決される。
【００１７】
食品と接触する用途のプラスチック材料の精製用の本発明の装置だけではなく：
本発明のプラスチック材料用の押し出しシステム、
プラスチック材料の精製用の本発明のプロセス、
本発明の押し出しプロセス、
の利点が、添付の図面を参照した非限定的な例としての好ましい実施形態のいくつかの以下の記述から明らかになろう。
【図面の簡単な説明】
【００１８】
【図１】図１は、本発明の食品との接触を意図しているプラスチック材料を精製する装置及びプラスチック材料押し出し機を有しているプラスチック材料から作られている押し出しシステムの簡略化されている模式図である。
【図２】図２は、図１の押し出しシステムの共に回転する２軸押し出し機の立面図である。
【図３】図３は、図２の２軸押し出し機の２個のスクリューの模式的な断面図である。
【図４】図４は、図２の押し出し機の上側の部分の拡大されている断面を示している。
【図５】図５は、図４の押し出し機の断面の詳細の拡大図である。
【図６】図６は、図４の押し出し機の断面の詳細の拡大図である。
【図７】図７は、図４の押し出し機の断面の詳細の拡大図である。
【発明を実施するための形態】
【００１９】
添付の図面を参照すると、参照番号１は、全体として、プラスチック材料の押し出し、特に、ポリエチレンテレフタレートの押し出しのための本発明のシステムを示している。
【００２０】
図１の図に示している実施形態によれば、プラスチック押し出しシステム１は、直列に配置されている以下の段階を有している。
全体的にまたは部分的に再生されているプラスチック材料の供給手段１４及び再生されるときには通常フレークの形態で供給されるプラスチック材料の精製前処理を実施する加熱手段を有している第１の段階Ｉ；
汚染物質からのプラスチック材料の精製用の第２の段階ＩＩ；
段階ＩＩで処理されたプラスチック材料を蓄積する考え得る（任意採用に過ぎない）第３の段階ＩＩＩ；
段階ＩＩで処理されたプラスチック材料が供給される２軸押し出し機３０を有している押し出しの第４の段階ＩＶ。
【００２１】
前述の第１段階Ｉは、ポリエチレンテレフタレートであることが好ましい一般的にフレークの形態の全体的にまたは部分的に再生されいてるプラスチック材料が出口と入口との間で流れることができる密閉される容器によって識別されるヒータ３を有している。
【００２２】
ヒータ３のフレーク材料の入口の開口は、前述の供給手段１４と相互作用し；例えば、あらかじめ設定されている量のプラスチック材料を収容するように意図されている充填ホッパを示している。
【００２３】
ヒータ３の内側には、例えば約６０分の期間の、予測される処理の時間に等しい時間でヒータ３の入口の端部と出口の端部との間で処理チャンバ３ａ内でのプラスチック材料のフレークの前進を保証することを意図している進行手段がある。
【００２４】
前述の進行手段は、前述のチャンバ３ａ内に位置しており、プラスチック材料のフレークのヒータ３の入口の端部と出口の端部との間での前述の前進をその回転が保証する不図示のブレードを備えており水平方向の回転の軸線を備えている軸を有していることが好ましい。
【００２５】
ただし、ヒータ３は、プラスチック材料の進行に対して逆流の、ヒータ３内に流れ込む（図１のＡで示している）加熱されている空気の流れによって駆動される。
【００２６】
前述の加熱されている空気の流れＡは、ヒータ３内で処理されるプラスチック材料に対して３重の効果を発生する：
プラスチック材料の湿度の程度の減少（乾燥）；
非常に揮発性の汚染物質からの第１の精製；
プラスチック材料の加熱。
【００２７】
ヒータ３の容器内でのプラスチック材料の加熱に関しては、このヒータばかりでなく高温の空気の流速および温度が、ヒータ３の容器の出口の位置で１８５℃以下であって、ともかくも１５０℃未満ではなく、好ましくは１６０℃未満ではなく、より好ましくは１７０℃に近く、それ未満ではないプラスチック材料の温度を決定することを指摘するのが有用である。
【００２８】
温度の値の前述の範囲は、プラスチック材料自体に対する好ましくない劣化を引き起こすことなく、ヒータ３内で処理されるプラスチック材料に対する前述の３重の効果を保証するものである。
【００２９】
内部でプラスチック材料の前処理が行われる前述のヒータ３には、ヒータ３の出口での前述の指定された温度に達するまでのヒータ３を通過するプラスチック材料の加熱に貢献し、極性分子の励起を促進する放射加熱手段２１も備わっていることが好ましい。
【００３０】
前述の放射加熱手段２１は、１個または２個以上のマイクロ波加熱装置、本質的にマイクロ波発生器を有している、より好ましくは、それからなることが好ましい。
【００３１】
ヒータ３のプラスチック材料の入口の開口から追い出される加熱されている空気の前述の流れは、排出された空気のフィルタリング及びデカンテーション用のシステムによって、好ましくは空気の流れが前述の充填ホッパを通過した後で、処理されることが好ましい。
【００３２】
プラスチック材料のフレークの汚染材からの精製用の前述の第２の段階ＩＩを考慮すれば、少なくとも反応器４を備えていることが明らかである。
【００３３】
図１に示している実施形態によれば、押し出しシステム１の第２の段階ＩＩは、互いに平行して作動する２個の反応器４を有しており、各反応器４は、ヒータ３内で処理されるプラスチック材料の１時間の生産量の少なくとも５０％に等しい、好ましくは５０％と６５％との間のプラスチック材料の量を収容するのに適している容量を有している。これによって、ヒータ３内でプラスチック材料を連続している態様で処理して、加熱中の一様ではない滞留を回避し、反応器４での不連続モードでの動作が可能になって有利である。
【００３４】
設置コストが増加するとしても、第１の段階Ｉのヒータ３の生産容量に少なくとも等しいかわずかに高い容量を全体として有している多数のより小さい反応器を設けることによって、同じ結果、つまり連続している第１の段階Ｉ及び不連続な第２の段階ＩＩを得ることもできるのは明らかである。
【００３５】
ヒータ３の容器の出口は、容器４の入口に回転弁１５、つまり、高温の材料をヒータ３の容器の出口から２個の反応器４の一方の入口に制御されている態様で通過させることが可能な排出弁を介して接続されている。
【００３６】
各反応器４は、加熱手段、外側の壁、つまり反応器ジャケットに関連付けられている例えば電気ヒータまたは加熱されている液体によって覆われている隙間及び、反応炉の内側の外部環境との間での熱交換を減少させる外側の断熱層を有している。
【００３７】
つまり、本質的に、反応器４の壁に関連付けられている前述の加熱手段及び前述の断熱層は、前述の第１段階Ｉにおいて以前に加熱されているプラスチック材料の温度をできるだけ維持し、したがって反応器４に滞留している期間にプラスチック材料の温度が下がり得ることを回避する機能を有している。
【００３８】
考察したシステム１の寸法設定であれば、つまり２個の独立している反応器４を備えていれば、充填されたプラスチック材料の不連続な態様での必要な処理段階を実施するのに各反応器４が使用する処理時間は、３０分に実質的に等しくなる。プラスチック材料の処理プロセスを実施するために、実質的に反応器４での精製プロセスの間、反応器４の内側があらかじめ設定されている真空値に維持されることを保証するように、システム１は、フィルタ１３を介して反応器４の開口に吸引によって接続されている真空ポンプ５を有している。
【００３９】
特に、反応器４の内側での加熱されているプラスチック材料の処理のプロセスは、プロセスサイクルの開始及び終わりに設けられている遷移過程を当然除いて、５ミリバール以下の圧力で、より好ましくは５ミリバール未満の圧力で発生するのが好ましい。
【００４０】
反応器４内での精製は、反応器４が１８５℃以下で、いずれにしても１５０℃以上の、好ましくは、１６０℃以上の、より好ましくは１７０℃に近くそれ以上の温度で行われることが好ましい。実際に、より高い温度は、プラスチック材料の好ましくない劣化の原因になるのに対して、より低い温度は、過度に長い材料の処理時間が必要になって、実施中の処理の生産性が低下することが見出されている。
【００４１】
反応器４は、エネルギーを反応器４内に収容されているプラスチック材料に供給し、極性分子の励起を促進する放射加熱手段２も有していることが有利である。
【００４２】
この点について、以下の要因が強調される：
真空の存在、
処理されるプラスチック材料の非常に低い熱伝導性、
処理されるプラスチック材料の少なくとも部分的なフレークの適合性、
によって、反応器４の壁から内部に収容されているプラスチック材料へ伝導する可能性のある熱エネルギーの量を非常にわずかにすることができるので、前述の電気ヒータは、反応器４の内側に収容されているプラスチック材料を効果的に加熱できるというよりも、前述の断熱にもかかわらず反応器４によって周囲の環境に発散する熱エネルギーを補う目的を実際に有している。
【００４３】
反応器４の放射加熱手段２は、その代わりに、熱を反応器４内に収容されているプラスチック材料に供給し、第１の段階Ｉのヒータ３内でプラスチック材料が到達した温度をさらに完全にするか、または少なくとも最適に維持することができる。
【００４４】
このため、本発明の好ましい実施形態は、段階ＩＩの上流にヒータ３を設けている。
【００４５】
反応器４の前述の放射加熱手段２は、極性分子の励起を促進して、簡単な態様で汚染物質の蒸気圧力に達して、その結果、真空ポンプ５によって実施される吸引によってプラスチック材料から取り除かれるようにする、１個または２個以上のマイクロ波加熱装置を有している、より好ましくはそれらからなることが好ましい。
【００４６】
そのため、各反応器４は：
回転弁１５によってヒータ３の容器からの出口と相互作用する、精製するあらかじめ加熱されている材料の入力部；
精製された材料を蓄積するバッファを任意に介した、精製された材料を押し出しラインへ供給する精製された材料の出口；
真空ポンプ５に接続されている出力部；
反応器４の内側のブロワーによって発生した空気の流れによる飛沫同伴によって材料を取り出すことができるようにするブロワーに接続されている入口；
材料及び／または空気の密封中または開放中に前述の開口に適用される弁手段、
備えている。
【００４７】
反応器４は、反応器４の内側の材料の攪拌を確実にして、放射手段２の暴露範囲内に収容されている固体プラスチック材料及び反応器自体の内側の壁の一様な暴露を確実にするために、内部の攪拌機１６、例えば回転攪拌機を有していることが好ましい。
【００４８】
図１の実施形態によれば、押し出しシステム１は、全体として前述の第３の段階ＩＩＩを識別する反応器４から送られてくる精製された材料の１個または２個以上の蓄積バッファ６も有している。
【００４９】
バッファ６は、第４の段階ＩＶの２軸押し出し機３０に供給するように、より具体的には第４の段階ＩＶの充填ホッパ３３に供給するように構成されている。
【００５０】
以前に強調したように、バッファ６の存在をなくすことができる。その場合、反応器４は、押し出し機３０に供給する充填ホッパ３３に精製された材料を直接取り出す。
【００５１】
そのため、押し出しシステム１の第４の段階ＩＶは、充填ホッパ３３を装備している２軸スクリュー押し出し機３０を有している。
【００５２】
押し出し機３０は、同じ回転方向に共に回転する２個のスクリュー３１及び３２が内部に配置されているケーシング２９を有している。
【００５３】
反応器４によってすでに処理されているプラスチック材料は、例えば油で温度調整されている押し出し機３０の内部で前進しながら２個のスクリュー３１及び３２の間で処理される。
【００５４】
充填ホッパ３３から始まる押し出し機３０の第１の部分の後に位置している第１の領域Ａに対応して、押し出し機３０の胴体内には、「開放空気」と呼ばれる脱気、つまり環境内での脱気を行う吸引フード３５を任意に配置できる開口３４が作られている。
【００５５】
前述の吸引フード３５は、わずかな減圧を行うので、プラスチック材料は依然として固体の状態、例えばフレーク等の形態であって、吸い込まれたり、押し出し機３０自体から取り除かれたりしない。押し出し機３０のこの領域のプラスチック材料は、スクリュー３１及び３２の溝を部分的にしか埋めず、どのような過度の減圧でも、このプラスチック材料の一部が取り除かれてしまう可能性のあることを考慮することが実際に必要である。
【００５６】
さらに、後続の第２のゾーンＢにおいて押し出し機３０の内部で前進すると、栓として作用する部品の配置が識別される。この領域は、ほとんど溶融している材料が充填されており、わずかな圧力の下にあるスクリュー３１及び３２上に位置している一連のカム３６の存在によって識別することができる。以下でよりよく説明するように、以降の脱気グループの強い減圧が前の環境での脱気に影響しないことを予測することができる。
【００５７】
実際に、続くゾーンＣにおいて、真空ポンプ１１、または、その代わりに吸引チムニーを使用した第１の脱気３７が行われ、さらなる領域Ｄにおいて、真空ポンプ１１またはその代わりに吸引チムニーを使用した第２の脱気３８が短い距離で続く。前述の脱気３７及び３８は、例えば、長さの比率が３４及び４２の直径の押し出し機においては、２個のチムニーの間の距離が約６〜９メートルのタンデム脱気を識別している。
【００５８】
内部では、スクリュー３１及び３２の各々は、溶融している材料が部分的にだけ充填され、真空吸引動作よりも広く材料の表面を曝すように製造されている。このように、発生した真空のおかげで、塊全体に同じ処理が効率的に施される。
【００５９】
この脱気は、あらゆる残留した湿気の取り除き及び前述の第２の段階ＩＩの反応器４内で実施された処理ステップの後で依然として存在している汚染物質の取り除きに対する決定的な作用を有している。
【００６０】
それから、押し出し機３０は、そのスクリュー３１及び３２によって運搬及び投与が行われるさらなるゾーンＥに連続している。
【００６１】
最後に、押し出し機３０において、そのような手順によって作られた材料の最終ポンピングが実施される最後のゾーンＦが存在している。
【００６２】
ただし、押し出しシステム１の前述の第２段階ＩＩは、特に反応器４内で処理されるプラスチック材料が事前に指定された過程の温度で事前に加熱されているばかりでなく、加熱されている空気の逆流が換気され、とりわけ、放射手段、特にマイクロ波発生器によって加熱される第１段階Ｉで実施された処理過程を経ている場合に、プラスチック材料の高容量の精製を達成できる。
【００６３】
前述の精製システムは、汚染物質から処理するプラスチック材料を精製する非常に高い容量を有している。
【００６４】
プラスチック材料が依然として固体の状態の部分における端部が開放されている脱気部３４及び材料が流体の状態の時の真空ポンプ１１を備えている２個の連続している脱気部３７及び３８を有している押し出し機３０の構造は、システム１の第２の段階ＩＩよりも処理容量が低く異なっているが、汚染物質の除去に関して非常に高い分離能力を有し、したがって、処理されているプラスチック材料の非常に強力な精製を実現可能である。
【００６５】
以上の説明からわかるように、本発明のプラスチック材料の精製用の装置だけでなく、本発明のプラスチック押し出しシステム、本発明の押し出しによるプラスチック材料の精製用のプロセス、及び本発明の押し出しプロセスは、前述の要件を満たし、従来技術を参照して説明した本明細書の導入部分で言及した欠点を同時に克服すことができる。
【００６６】
プラスチック材料処理システム及び前述の押し出し機を備えている押し出しの２個のシステムの直列の組み合わせによって、現在有効なＦＤＡ及びＥＦＳＡ標準の要件を確実に満たすことができる非常に高いレベルの精製を得ることができる。
【００６７】
そのため、好ましい実施形態では、前述の精製プロセスが、両方の過程：反応器内でのプラスチック材料の精製及び前述の特定の押し出し機３０を使用した以降の押し出し過程にあらかじめ対応するようになっている。
【００６８】
当業者は、偶発的で特定の要件に対応するために、説明した、しかし以下の特許請求の範囲によって定められるような本発明の保護の範囲内にすべてが含まれる内容に対して様々な修正と変更を行い得ることは明らかである。
【図１】
2020525307.tif 000003
【図２】
2020525307.tif 000004
【図３】
2020525307.tif 000005
【図４】
2020525307.tif 000006
【図５】
2020525307.tif 000007
【図６】
2020525307.tif 000008
【図７】
2020525307.tif 000009
【国際調査報告】
2020525307.tif 000010
2020525307.tif 000011
2020525307.tif 000012